【事件の表示】
　特願２００２−２８００９２「葉たばこラックリフタ」拒絶査定不服審判事件〔平成１６年　４月１５日出願公開、特開２００４−１１３０９６〕について、次のとおり審決する。
【結　論】
　本件審判の請求は、成り立たない。
【理　由】
１．手続の経緯 
　本件出願は、平成１４年９月２５日に出願されたものである。
　そして、平成１６年７月１６日付で１回目の拒絶理由が通知され、それに対し、同年９月２５日付で意見書の提出並びに手続補正がなされ、同年１０月１４日付で２回目の拒絶理由が通知されたが、その指定期間内に意見書、補正書の提出はなされず、平成１７年１０月１３日付で２回目の拒絶の理由によって拒絶査定がなされた。
　これに対し、同年１１月２２日に拒絶査定に対する審判請求がなされるとともに、同年１２月２０日付で手続補正がなされたものである。 
　 
２．平成１７年１２月２０日付の手続補正についての補正却下の決定 
［補正却下の決定の結論］ 
　平成１７年１２月２０日付の手続補正を却下する。 
　 
［理由］ 
（１）新規事項、補正の目的
　上記補正により、特許請求の範囲の請求項１は、
「葉たばこが挟持された針ラックを載置する左右一対の吊込みレールを備え、該吊込みレールを持ち上げて針ラックを乾燥室に装入する葉たばこラックリフタであって、針ラックのローラが嵌合する起立可能に連結された延長レールと、針ラックのストッパを有する左右一対の各吊込みレールの中間部に、上下方向に延びる昇降フレームを連結すると共に、該昇降フレームが昇降可能に嵌合する昇降ガイドを、その上部の間が開放された左右一対の各支柱に形成し、前記昇降フレームを駆動手段で昇降させることにより、前記吊込みレールを前記支柱よりも高い位置まで持ち上げるようにすると共に、駆動手段を、支柱下部又は該支柱を支持するベース部材の左右両側において対向的に配置し、該ベース部材上に葉詰め台を一体的に設けたことを特徴とする葉たばこラックリフタ。」
と補正された。
　上記請求項１に対する補正は、（ａ）吊込みレールに関し、「針ラックのローラが嵌合する起立可能に連結された延長レールと、針ラックのストッパを有する」ということをさらに特定し、（ｂ）吊込みレールと昇降フレームの連結に関し、吊込みレールの「中間部」に、上下方向に延びることをさらに特定し、（ｃ）駆動手段に関し、ベース部材の「左右両側において対向的に」配置したことをさらに特定するものとなっている。
　（ａ）については、段落００１６の「吊込みレール１９の葉詰め部３側には、延長レール２０が起立可能に連結され、」及び段落００２１の「そのあと、針ラック２は延長レール２０上を走行して吊込みレール１９側に移載し、ストッパ２２に当接して所定位置に停止する。」という記載からみて、新規事項の追加はなく、（ｂ）については、段落０００６の「この場合、昇降フレームは、その上端部が水平な吊込みレールの中間部に連結されているので、」及び段落００１７の「吊込みレール１９の中間部には昇降スライダ２８の上端部が連結され、」という記載からみて、新規事項の追加はなく、（ｃ）については、段落００１８の「この制御盤２６と駆動モータ２４は、図２に示すように、ベース部材１１の左右両側において対向的に配置されている。」という記載からみて、新規事項の追加はなく、いずれも限定的減縮を目的とするものに該当する。
　また、上記請求項１に対する補正に合わせて、段落０００５を同内容に補正し、段落００１４の「反転するるようにされる。」という記載を「反転するようにされる。」と誤記の訂正を行っているが、いずれも新規事項を追加するものではない。
　
　したがって、平成１７年１２月２０日手続補正（以下、本件補正という。）は、特許法第１７条の２第３項及び第４項各号の要件を満たしている。
　 
（２）本願補正発明
　本件補正後の請求項１に係る発明（以下、本願補正発明という。）は、上記請求項１の記載のとおりと認められるが、本願補正発明が特許出願の際独立して特許を受けることができるものであるか（特許法第１７条の２第５項において準用する同法第１２６条第４項の規定に適合するかどうか）について以下に検討する。 
　
（３）引用刊行物記載の発明 
　原査定の拒絶の理由に引用された、特開平８−１１６９４７号公報（以下、引用刊行物１という。）には、図７、８、１０〜１２の記載と共に次のことが記載されている。 
（ａ）「キャスタ（２０）で移動自在に支持された台車本体（１９）の正面開口が、葉たばこの自動制御式電熱乾燥装置の密閉奥行室（１）の扉（２）の開口にマッチし、且つ前記台車本体（１９）の両側の前後支柱（２７），（２８）の高さを低目としてその前後支柱（２７），（２８）に沿ってモ−タ（３０）、昇降装置（３１）に駆動される昇降枠（２９）を設け、その昇降枠（２９）の内側に前記密閉奥行室（１）のレ−ル（１３）、（１４）に連続させられる控ハンガ−レ−ル（２１）を一体的に備えた、葉たばこの自動制御式電熱乾燥装置に直接使用する補助搬送車。」（特許請求の範囲請求項７）
（ｂ）「【発明の作用並びに効果】
　作業手順は図７に示される。即ち、（イ）、（ロ）で、補助搬送車の控ハンガ−レ−ル２１に、生葉を逆さ吊りしたハンガ−１５が架けられ、（ハ）で控ハンガ−レ−ル２１を上昇させる。そして（ニ）で補助搬送車を扉２を開けた密閉奥行室１に対面させ、突合されて連続状態となった控ハンガ−レ−ル２１からハンガ−レ−ル１４へハンガ−１５が移し替えられる。そして控ハンガ−レ−ル２１の全部（控ハンガ−レ−ル２１に載せられるハンガ−１５の数はハンガ−レ−ル１３、１４に載せられる数の一部である）のハンガ−１５を移し替え終ったら、搬送車を後退させ、今度はハンガ−レ−ル１３にハンガ−１５の適当数を直接手作業で掛けるようにすると、作業員が屈む姿勢をすることなく作業ができる（同図（ニ）は正にその状態が描かれている）。・・・」（段落００１１） 
（ｃ）「さらに図１０ないし図１２に、別の態様の補助搬送車が示される。即ちキャスタ２０で移動自在に支持された台車本体１９の正面開口が、葉たばこの自動制御式電熱乾燥装置の密閉奥行室１の扉２の開口にマッチし、且つ前記台車本体１９の両側の前後支柱２７，２８に沿ってモ−タ３０、昇降装置３１に駆動される昇降枠２９を設ける。即ち昇降枠２９が両側の前後支柱２７，２８に沿ってロ−ラ３１を介して昇降するようにして設けられ、その昇降枠２９の内側に前記密閉奥行室１の上下のレ−ル３３、３４に連続させられる控ハンガ−レ−ル２１を一体的に備えている。同図において３１、３２がそれぞれ昇降枠２９の昇降動作の停止リミットスイッチである。」（段落００１９）
　
　ここで、図１０〜１２の記載及び上記（ｃ）の記載より、前後支柱２７、２８自体が昇降のためのガイドをなしていることは明らかであり、また、モータは支柱を支持する台車本体の下方部分に配置されていることは明らかである。また、図１１、１２の記載より、昇降枠は上下方向に延びる構成となっていることも明らかである。
　
　したがって、これらの記載事項から、引用刊行物１には次の発明（以下、引用発明１という。）が記載されているものと認める。 
　 
　葉たばこが逆さ吊りされたハンガーを載置する左右一対の控ハンガーレールを備え、該控ハンガーレールを持ち上げてハンガーを葉たばこの自動制御式電熱乾燥装置の密閉奥行室に装入する補助搬送車であって、左右一対の各控ハンガーレールに、上下方向に延びる昇降枠を連結すると共に、該昇降枠が昇降可能に嵌合する昇降ガイドとしての機能を奏する、その上部の間が開放された左右の一対の各前後支柱を有し、前記昇降枠をモータで昇降させることにより、前記控ハンガーレールを前記支柱よりも高い位置まで持ち上げるようにすると共に、モータを、支柱を支持する台車本体の下方部分に配置した葉たばこの補助搬送車。
　 
　また、同じく原査定の拒絶の理由に引用された、特開平２００２−２３８５３５号公報（以下、引用刊行物２という。）には、図１〜１０の記載と共に次のことが記載されている。 
（ｄ）「葉詰されるラックを載置する葉詰め作業台と、該作業台から移動されたラックを支持して上下動する昇降レールを左右に有する移動可能な吊り込み部とを備え、
　吊り込み部に、葉詰め作業台の葉受け台の左右に位置して、葉受け台に載置されるラックを支持すると共に、昇降レールへの移動を案内するガイドレールが起立及び倒伏可能に備られ、
　このガイドレールは起立時においてラックのガイドローラを、水平状が保持された葉受け台上で生葉が横向状となるように、且つ、ラックの前後動を阻止した状態で係合支持し、倒伏時においてラックを生葉が縦向き状、且つ、ガイドローラがガイドレールに沿って前後動可能となるように吊り下げ支持すると共に、昇降レールと面一となってラックを昇降レールに移動可能状態とし、
　葉受け台は、ガイドレールがラックを支持した状態での倒伏動作に伴って、水平保持が解除されると共に、下方に折り曲げ可能に備えられていることを特徴とする葉たばこの葉詰め・吊り込み装置。」（特許請求の範囲請求項１）
（ｅ）「【発明の属する技術分野】
　本発明は、生葉たばこをラックに葉詰めし、このラックを乾燥室に吊り込むまでの一連の作業を行う葉たばこの葉詰め・吊り込み装置に関する。」（段落０００１）
（ｆ）「・・・昇降レール３は、ラック１が載置される載置面３１を有した断面略Ｌ型に形成され、枠体４２の支柱４３に沿って上下スライド可能に設置されたブラケットＭ１に水平状に固定されている。
　このブラケットＭ１は、枠体４２に設置された駆動モータＭの駆動力をブラケットＭ１の上下動として伝達するチェーンＭ２に連結されている。・・・」（段落００１１）
　
　ここで、図１、２、４、５の記載及び上記（ｆ）の記載から、支柱４３は昇降ガイドとなる部材が形成されていることは明らかである。また、図１、２、４、５の記載から、左右一対の各昇降レールの中間部にブラケットを連結するものであることは明らかであり、また、図１、４の記載から、葉詰め作業台と吊り込み部は支柱を支持するベースとなる下部の枠体上に一体的に設けられていることは明らかである。
　したがって、これらの記載事項から、引用刊行物２には次の発明が記載されているものと認める。
　
　葉たばこが挟持されたラックを載置する左右一対の昇降レールを備え、該昇降レールを持ち上げてラックを乾燥室に装入する葉たばこの葉詰め・吊り込み装置であって、左右一対の各昇降レールに、ブラケットを連結すると共に、該ブラケットが昇降可能に嵌合する昇降ガイドを、左右一対の各支柱に形成し、支柱を支持するベースとなる下部の枠体上に葉詰め作業台を一体的に設けた葉詰め・吊り込み装置。
　
　また、本願出願前に公開された特開２００１−１４９０５５号公報（以下、引用刊行物３という。）には、図１〜７の記載と共に次のことが記載されている。
（ｇ）「葉たばこ吊具と、キャスターを備えて移動可能に形成されその上部左右に上記葉たばこ吊具を吊下げるラックレールを水平方向に配設してなる機枠と、該機枠の一端側に上記ラックレールに対して水平方向に接離移動可能に配置され上記葉たばこ吊具及び収穫葉を載承する作業テーブルとから構成され、前記葉たばこ吊具の左右に前記ラックレール上を転動する転動輪を設けると共に、前記ラックレールの一端側に前記葉たばこ吊具の転動輪と係脱自在に係合して該転動輪を前記ラックレールに案内するガイド兼用支持枠を起伏自在に設けてなる事を特徴とする葉たばこの葉詰め・吊り込み装置。」（特許請求の範囲請求項１）
（ｈ）「葉たばこ吊具１を構成する上枠１１及び下枠１２は、その詳細を図７に示すごとく、断面略コの字形に形成されたチャンネル材を用いて、例えば葉たばこ乾燥室Ｂの間口とほぼ同じ長さに形成され、その両端には機枠２の上部左右に配設されたラックレール４上を転動する転動輪１４がそれぞれ設けられている。そして上枠１１には、葉詰めされた収穫葉Ａの葉柄部分Ａ’に食い込む針棒１５がその全長にわたって等間隔に突設されている。」（段落００１０）
（ｉ）「機枠２は、下部にキャスター２１を備えて移動可能に形成され、その上部左右に葉たばこ吊具１を吊下げるためのラックレール４が水平方向に並列状に配設されると共に、ラックレール４の長手方向に対してほぼ中央位置にラックレール４を昇降させるための昇降装置６が配設され、下部水平フレーム２２には機枠２を定置固定するためのアジャスタ２３が設けられる。
　そして、機枠２の一端側に、作業テーブル３がラックレール４に対して水平方向に接離自在に配置され、作業テーブル３上に葉たばこ吊具１及び収穫葉Ａが載承される。」（段落００１３）
（ｊ）「昇降装置６は、機枠２の左右に配置された支柱６１と、支柱に対して昇降スライド自在に設置されラックレール４を取付け支持するための昇降ブラケット６２と、昇降ブラケット６２を昇降動作させるためのチェーン６３及びスプロケット６４と、動力源としての駆動モータ６５等から構成されている。」（段落００１９）
　
　ここで、図１、６の記載及び上記（ｊ）の記載から、支柱６１は、昇降ガイドとなる部材が形成されていることは明らかである。
　
　したがって、これらの記載事項から、引用刊行物３には次の発明が記載されているものと認める。
　
　葉たばこが挟持された針棒を有する葉たばこ吊具を載置する左右一対のラックレールを備え、該ラックレールを持ち上げて針棒を有する葉たばこ吊具を乾燥室に装入する葉たばこの葉詰め・吊り込み装置であって、針棒を有する葉たばこ吊具の転動輪が嵌合する起伏自在に連結されたガイド兼用支持枠を有する左右一対の各ラックレールの中間部に、昇降ブラケットを連結すると共に、該昇降ブラケットが昇降可能に嵌合する昇降ガイドを、左右一対の各支柱に形成した葉たばこの葉詰め・吊り込み装置。
　
　また、本願出願前に公開された、特開２００２−２３８５３４号公報（以下、引用刊行物４という。）には、図３、１３（ａ）の記載と共に次のことが記載されている。
（ｋ）「葉詰め作業台に載せられたラックを、乾燥室に多段状に吊り込むための吊り込み装置であって、
　葉詰めされたラックを支持する昇降部を備え、該昇降部を、葉詰め作業台のラックを支持する葉詰め動作と、ラックを乾燥室に吊り込む吊り込み動作とに交互に切り替え可能とし、
　葉詰め動作は、葉詰め作業台に載せられたラックが吊り込み装置のラック支持部位に位置する昇降部上に位置すると、昇降部が上昇指示手段によって上昇して葉詰め作業台からラックを離反させて支持すると共に、停止指示手段によって停止し、且つ葉詰め作業台が吊り込み装置から離れると、下降指示手段によってラック支持部位に下降する動作を繰り返し、
　吊り込み動作は、ラックを選択した本数支持すると動作切換え手段によって葉詰め動作から切り替わって、昇降部が上昇指示手段によって上昇すると共に、停止指示手段によって昇降部のラック載置面と選択された吊り込みレールのラック載置面とが同面となる位置で停止して、昇降部に支持されたラックが吊り込みレール上に移動すると、下降指示手段によって昇降部がラック支持部位に下降し、動作切換え手段によって再び前記葉詰め動作に切り替える動作をすることを特徴とする葉たばこの吊り込み装置。」（特許請求の範囲請求項１）
（ｌ）「昇降部はラックを昇降部より外方に前進可能及び前進不可能に支持する支持部を備えたことを特徴とする請求項１、又は、請求項２に記載の葉たばこ吊り込み装置。」（特許請求の範囲請求項３）
（ｍ）「・・・具体的には、図３及び図４に示すように、昇降枠４１，４１の裏側に、左右夫々２個のガイドローラ４４，４４を有し、このガイドローラ４４，４４が前後の縦枠Ａ４，Ａ４の内側面に設けられたガイドレールＡ５，Ａ５に嵌り込むことで上下案内されるようにしてある。・・・」（段落００１４）
（ｎ）「ラック用支持部Ｇ１は、昇降部４の前方に位置するＬ型上のストッパーＧ１１と、該ストッパーを回動操作する操作レバーＧ１２と、昇降枠４１に回動可能に支持されてストッパーＧ１１と操作レバーＧ１２を連結する連結杆Ｇ１４とで構成されている。・・・」（段落００２５）
　
　ここで、図２、３の記載から、左右一対の各吊り込みレールの中間部に昇降部が連結されるものであることは明らかである。
　したがって、これらの記載事項から、引用刊行物４には次の発明が記載されているものと認める。
　
　葉たばこが葉詰めされたラックを載置する左右一対の吊り込みレールを備え、該吊り込みレールを持ち上げてラックを乾燥室に装入する葉たばこの吊り込み装置であって、ラックのストッパを有する左右一対の各吊り込みレールを設け、左右一対の各吊り込みレールの中間部に、昇降部を連結すると共に、該昇降部が昇降可能に嵌合するガイドレールを左右一対の各支柱に形成した葉たばこの吊り込み装置。
　 
（４）対比 
　ここで、引用発明１の「ハンガー」、「控ハンガーレール」、「葉たばこの自動制御式電熱乾燥装置の密閉奥行室」、「補助搬送車」、「昇降枠」、「モータ」、「支柱を支持する台車本体の下方部分」は、本願補正発明の「ラック」、「吊込みレール」、「乾燥室」、「葉たばこラックリフタ」、「昇降フレーム」、「駆動手段」、「支柱を支持するベース部材」にそれぞれ相当する。 
　 
　よって、本願補正発明と引用発明１とを比較すると、両者は、 
　葉たばこが保持されたラックを載置する左右一対の吊込みレールを備え、該吊込みレールを持ち上げてラックを乾燥室に装入する葉たばこラックリフタであって、左右一対の各吊込みレールに、上下方向に延びる昇降フレームを連結すると共に、前記昇降フレームを駆動手段で昇降させることにより、前記吊込みレールを前記支柱よりも高い位置まで持ち上げるようにすると共に、駆動手段を、該支柱を支持するベース部材に配置した葉たばこラックリフタ。
である点で一致し、次の点で相違するものと認める。 
＜相違点１＞
　本願補正発明の「葉たばこが保持されたラック」が「葉たばこが挟持された針ラック」であるのに対し、引用発明１においては、葉たばこが逆さ吊りされるものである点。
＜相違点２＞
　本願補正発明の「吊込みレール」が「針ラックのローラが嵌合する起立可能に連結された延長レール」と「針ラックのストッパ」を有しているのに対し、引用発明１においては、当該構成を有していない点。
＜相違点３＞
　本願補正発明の「支柱」は「その上部の間が開放された左右一対の各支柱」であって、「吊込みレール」と「昇降フレーム」を「吊込みレールの中間部」で連結しており、「昇降フレームが昇降可能に嵌合する昇降ガイド」を支柱に形成しているのに対し、引用発明においては、「支柱」は「その上部の間が開放された左右一対の各前後支柱」であって、「吊込みレール」と「昇降フレーム」の連結は「吊込みレールの中間部」ではなく、「昇降フレーム」は直接支柱にガイドされ、特に「昇降ガイド」に相当する部材は形成されていない点。
＜相違点４＞
　本願補正発明の「駆動手段」が、「支柱下部又は支柱を支持するベース部材の左右両側において対向的に配置」したのに対し、引用発明においては、「駆動手段」はベース部材に配置されているものの、１つである点。
＜相違点５＞
　本願補正発明が「ベース部材上に葉詰め台を一体的に設けた」のに対し、引用発明においては、「葉詰め台」に関して言及が無く、したがって、ベース部材上に一体的に設けるという構成を有しない点。
　
（５）判断 
　上記相違点について検討する。 
＜相違点１＞について
　葉たばこのラックにおいて、「葉たばこが挟持された針ラック」は周知（例えば、上記引用刊行物３（特に記載事項（ｈ）参照。）、特開２００１−１５７５７０号公報（特に段落００１２参照。）等。）の形式のものであり、引用発明１のラックを「葉たばこが挟持された針ラック」とすることは、当業者であれば適宜なし得た設計変更にすぎない。
　
＜相違点２＞について
　葉たばこラックリフタにおいて、「吊込みレール」に「ラックのローラが嵌合する起立可能に連結された延長レール」を設ける発明は上記引用刊行物３に記載されており、また、「吊込みレール」に「ラックのストッパ」を設ける発明は、上記引用刊行物４に記載されている。そして、上記引用刊行物１、３、４に記載される発明は同一の技術分野に属し、引用刊行物３に記載の発明と引用刊行物４に記載の発明は同時に適用することを妨げるものではないことから、引用発明１の「吊込みレール」に上記引用刊行物３、４に記載の発明を適用して、相違点２に係る構成となすことは、当業者であれば容易に想到し得たことである。
　
＜相違点３＞について
　葉たばこラックリフタにおいて、「支柱」は「左右一対」のものであって、「吊込みレール」と「昇降フレーム」を「吊込みレールの中間部」で連結しており、「昇降フレームが昇降可能に嵌合する昇降ガイド」を支柱に形成することは、周知（例えば、上記引用刊行物２〜４参照。）の形式のものであり、引用発明１の「支柱」、「吊込みレール」と「昇降フレーム」の連結に、上記周知技術を適用して、相違点３に係る構成となすことは、当業者であれば容易に想到し得たことである。
　
＜相違点４＞について
　葉たばこラックリフタにおいて、「駆動手段」をそれを取り付ける部材の左右両側において対向的に配置することは周知（例えば、特公平７−２６号公報（特に図５参照。）、特開平５−１７６７４２号公報（特に図４参照。）等。）の形式ものであり、引用発明１のベース部材に配置した駆動手段に上記周知技術を適用して、相違点４に係る構成となすことは、当業者であれば容易に想到し得たことである。
　
＜相違点５＞について
　葉たばこラックリフタにおいて、「ベース部材上に葉詰め台を一体的に設けた」発明は、上記引用刊行物２に記載されており、上記引用刊行物１、２に記載される発明は同一の技術分野に属することから、引用発明１のベース部材に上記引用刊行物２記載の発明を適用して相違点５に係る構成となすことは、当業者であれば容易に想到し得たことである。
　
　そして、本願補正発明の効果も、当業者の予測を越えるような格別のものはない。 
　 
　したがって、本願補正発明は、引用刊行物１〜４に記載された発明及び周知技術に基いて当業者が容易に発明をすることができたものであるので、特許法第２９条第２項の規定により特許出願の際独立して特許を受けることができないものである。 
　 
（６）むすび 
　以上のとおり、本件補正は、特許法第１７条の２第５項で準用する同法第１２６条第４項の規定に違反するものであり、特許法第１５９条第１項で準用する特許法第５３条第１項の規定により却下すべきものである。 
　 
３．本願発明について 
　平成１７年１２月２０日付手続補正は上記のとおり却下されたので、本願の請求項１に係る発明（以下、本願発明という。）は、平成１６年９月２４日付手続補正書の請求項１に記載された事項により特定される、以下のとおりのものである。 
「葉たばこが挟持された針ラックを載置する左右一対の吊込みレールを備え、該吊込みレールを持ち上げて針ラックを乾燥室に装入する葉たばこラックリフタであって、左右一対の各吊込みレールに、上下方向に延びる昇降フレームを連結すると共に、該昇降フレームが昇降可能に嵌合する昇降ガイドを、その上部の間が開放された左右一対の各支柱に形成し、前記昇降フレームを駆動手段で昇降させることにより、前記吊込みレールを前記支柱よりも高い位置まで持ち上げるようにすると共に、駆動手段を、支柱下部又は該支柱を支持するベース部材に配置し、該ベース部材上に葉詰め台を一体的に設けたことを特徴とする葉たばこラックリフタ。」 
　 
（１）引用刊行物記載の発明 
　原査定の拒絶の理由に引用された刊行物、及び、その記載事項は、前記２．（３）に記載したとおりである。 
　 
（２）対比
　前記２．（４）に記載したように、引用発明１の「ハンガー」、「控ハンガーレール」、「葉たばこの自動制御式電熱乾燥装置の密閉奥行室」、「補助搬送車」、「昇降枠」、「モータ」、「支柱を支持する台車本体の下方部分」は、本願補正発明の「ラック」、「吊込みレール」、「乾燥室」、「葉たばこラックリフタ」、「昇降フレーム」、「駆動手段」、「支柱を支持するベース部材」にそれぞれ相当する。 
　 
　よって、本願発明と引用発明１とを比較すると、両者は、 
　葉たばこが保持されたラックを載置する左右一対の吊込みレールを備え、該吊込みレールを持ち上げてラックを乾燥室に装入する葉たばこラックリフタであって、左右一対の各吊込みレールに、上下方向に延びる昇降フレームを連結すると共に、前記昇降フレームを駆動手段で昇降させることにより、前記吊込みレールを前記支柱よりも高い位置まで持ち上げるようにすると共に、駆動手段を、該支柱を支持するベース部材に配置した葉たばこラックリフタ。
である点で一致し、次の点で相違するものと認める。 
＜相違点４＞
　本願発明の「葉たばこが保持されたラック」が「葉たばこが挟持された針ラック」であるのに対し、引用発明１においては、葉たばこが逆さ吊りされるものである点。
＜相違点５＞
　本願発明の「支柱」は「その上部の間が開放された左右一対の各支柱」であって、「昇降フレームが昇降可能に嵌合する昇降ガイド」を支柱に形成しているのに対し、引用発明においては、「支柱」は「その上部の間が開放された左右一対の各前後支柱」であって、「昇降フレーム」は直接支柱にガイドされ、特に「昇降ガイド」に相当する部材は形成されていない点。
＜相違点６＞
　本願発明が「ベース部材上に葉詰め台を一体的に設けた」のに対し、引用発明においては、「葉詰め台」に関して言及が無く、したがって、ベース部材上に一体的に設けるという構成を有しない点。
　
（３）判断 
　上記相違点について検討する。 
＜相違点４＞について
　葉たばこのラックにおいて、「葉たばこが挟持された針ラック」は周知（例えば、上記引用刊行物３（特に記載事項（ｈ）参照。）、特開２００１−１５７５７０号公報（特に段落００１２参照。）等。）の形式のものであり、引用発明１のラックを「葉たばこが挟持された針ラック」とすることは、当業者であれば適宜なし得た設計変更にすぎない。
　
＜相違点５＞について
　葉たばこラックリフタにおいて、「支柱」は「左右一対」のものであって、「昇降フレームが昇降可能に嵌合する昇降ガイド」を支柱に形成することは、周知（例えば、上記引用刊行物２〜４参照。）の形式のものであり、引用発明１の「支柱」に上記周知技術を適用して、相違点５に係る構成となすことは、当業者であれば容易に想到し得たことである。
　
＜相違点６＞について
　葉たばこラックリフタにおいて、「ベース部材上に葉詰め台を一体的に設けた」ものは、上記引用刊行物２に記載されており、上記引用刊行物１、２に記載される発明は同一の技術分野に属することから、引用発明１のベース部材に上記引用刊行物２記載の発明を適用して相違点６に係る構成となすことは、当業者であれば容易に想到し得たことである。
　
　そして、本願発明の効果も、当業者の予測を越えるような格別のものはない。 
　 
（４）むすび 
　以上のとおり、本願発明は、引用刊行物１、２に記載された発明及び周知技術に基いて、当業者が容易に発明をすることができたものであるから、特許法第２９条第２項の規定により特許を受けることができない。 
　よって結論のとおり審決する。